(57)【要約】【課題】チャンネル情報を取得できなかったチャンネルについてもチャンネル情報を取得するための手動選局を不要とする放送信号受信装置を提供する。【解決手段】自動選局において、放送信号を受信できなかったチャンネル（ＣＨ２６、ＣＨ９、ＣＨ３３、ＣＨ４０及びＣＨ６６）については、前回の自動選局において取得しメモリに記憶させたチャンネル情報のデータを更新することなく保護し、その後のチューナによる選局に継続して用いる。【選択図】図３
2010288221.tif 000002
【特許請求の範囲】
【請求項１】
放送局から送信された放送信号を受信する受信手段と、前記受信手段によって受信された放送信号に含まれるチャンネル情報を抽出するチャンネル情報抽出手段と、前記チャンネル情報抽出手段によって抽出されたチャンネル情報を記憶する記憶手段と、前記受信手段、チャンネル情報抽出手段及び記憶手段を制御する制御手段と、前記制御手段に指令を入力するためにユーザによって操作される指令入力手段とを備えた放送信号受信装置において、
前記制御手段は、前記指令入力手段を介して自動選局指令が入力されたとき、
前記受信手段の受信周波数を走査させながら該受信手段に放送信号を受信させ、その放送信号に含まれるチャンネル情報を前記チャンネル情報抽出手段に抽出させ、このチャンネル情報抽出手段によって抽出されたチャンネル情報と、前回の自動選局において記憶手段に記憶されているチャンネル情報を比較して、
前記チャンネル情報抽出手段によってチャンネル情報が抽出されなかったチャンネルについて、前記記憶手段に記憶されているチャンネル情報を、更新することなく前記受信手段による選局に継続して用いることを特徴とする放送信号受信装置。
【請求項２】
前記制御手段は、前記記憶手段に記憶されているチャンネル情報を一覧表示させる機能を有することを特徴とする請求項１に記載の放送信号受信装置。
【請求項３】
前記制御手段は、前記受信手段によって受信できなかったチャンネルについて、その理由を表示する機能を有することを特徴とする請求項２に記載の放送信号受信装置。
【発明の詳細な説明】
【技術分野】
【０００１】
本発明は、自動選局機能を有する放送信号受信装置に関するものである。
【背景技術】
【０００２】
従来から、受信周波数を走査させながら放送波をサーチして、受信可能な放送局を自動的に選局する自動選局機能を有する放送信号受信装置が知られている。例えば、特許文献１には、放送波のサーチによって取得した新たなチャンネル情報が過去に作成されたチャンネル情報に存在しない場合は登録し、存在する場合は上書きする技術が示されている。また、特許文献２には、チャンネル情報を新プリセット情報として取得し、旧プリセット情報と照合してその差を記憶し、この記憶した情報を表示して追加するか否かの選択をする技術が示されている。また、特許文献３には、放送波のスキャンによって抽出されたチャンネル情報とメモリに記憶しているチャンネル情報を比較し、受信したチャンネル情報が更新されている場合メモリに記憶する技術が示されている。
【先行技術文献】
【特許文献】
【０００３】
【特許文献１】特開２００６−１５７３３４号公報
【特許文献２】特開２００７−４３４０８号公報
【特許文献３】特開平１０−２３３４４号公報
【発明の概要】
【発明が解決しようとする課題】
【０００４】
図４は、従来の放送信号受信装置において、３回の自動選局に伴ってメモリに記憶されるチャンネルの一覧を示している。放送信号受信装置は、アンテナ方向の変更や受信環境の変化に伴って、図４に示すように、再度放送波をサーチして自動選局を実施する場合がある。同図においては、１回目の自動選局によってＣＨ８、ＣＨ１１、ＣＨ２０、ＣＨ７、ＣＨ２６、ＣＨ５、ＣＨ９、ＣＨ３１、ＣＨ３３、ＣＨ４０及びＣＨ６６（いずれも仮想チャンネル）が受信され、２回目の自動選局によってＣＨ８、ＣＨ１１、ＣＨ２０、ＣＨ７、ＣＨ５、ＣＨ９、ＣＨ３１及びＣＨ６６が受信され、３回目の自動選局によってＣＨ８、ＣＨ１１、ＣＨ２０、ＣＨ７、ＣＨ２６、ＣＨ５、ＣＨ３１及びＣＨ４０が受信された場合を示している。
【０００５】
この場合、２回目の自動選局時に一時的な電波環境の悪化等の事情によりＣＨ２６、ＣＨ３３及びＣＨ４０が受信できなかったため、ＣＨ２６、ＣＨ３３及びＣＨ４０のチャンネル情報がメモリから消去される。同様に、３回目の自動選局時にＣＨ９、ＣＨ３３及びＣＨ６６が受信できなかったため、ＣＨ９、ＣＨ３３及びＣＨ６６のチャンネル情報がメモリから消去される。このように、自動選局に伴ってメモリに記憶させているチャンネル情報は上書きされるので、前回の自動選局によって取得したチャンネル情報は消去される場合がある。
【０００６】
そのため、図５に示すように、電波環境の回復等により上記チャンネルが受信可能となる場合に備えて、２回目の自動選局後にＣＨ２６、ＣＨ３３及びＣＨ４０についてのチャンネル情報を、３回目の自動選局後にＣＨ９、ＣＨ３３及びＣＨ６６についてのチャンネル情報を、それぞれ手動選局によって取得してメモリに記憶させる必要があり、使い勝手に問題を生じていた。
【０００７】
上記いずれの特許文献に示された技術を適用しても、チャンネル情報を取得できなかったチャンネルについては、前回の自動選局によって取得しメモリに記憶させていたチャンネル情報が消去されるため、再び手動選局によってチャンネル情報を取得する必要がある。
【０００８】
本発明は、上記課題を解決するためになされたものであり、放送波をスキャンする際に生ずる一時的な事情によりチャンネル情報を取得できなかったチャンネルについてもチャンネル情報を取得するための手動選局の操作を必要としない放送信号受信装置を提供することを目的とする。
【課題を解決するための手段】
【０００９】
上記目的を達成するために請求項１の発明は、放送局から送信された放送信号を受信する受信手段と、前記受信手段によって受信された放送信号に含まれるチャンネル情報を抽出するチャンネル情報抽出手段と、前記チャンネル情報抽出手段によって抽出されたチャンネル情報を記憶する記憶手段と、前記受信手段、チャンネル情報抽出手段及び記憶手段を制御する制御手段と、前記制御手段に指令を入力するためにユーザによって操作される指令入力手段とを備えた放送信号受信装置において、前記制御手段は、前記指令入力手段を介して自動選局指令が入力されたとき、前記受信手段の受信周波数を走査させながら該受信手段に放送信号を受信させ、その放送信号に含まれるチャンネル情報を前記チャンネル情報抽出手段に抽出させ、このチャンネル情報抽出手段によって抽出されたチャンネル情報と、前回の自動選局において記憶手段に記憶されているチャンネル情報を比較して、前記チャンネル情報抽出手段によってチャンネル情報が抽出されなかったチャンネルについて、前記記憶手段に記憶されているチャンネル情報を、更新することなく前記受信手段による選局に継続して用いることを特徴とする。
【００１０】
請求項２の発明は、請求項１に記載の放送信号受信装置において、前記制御手段は、前記記憶手段に記憶されているチャンネル情報を一覧表示させる機能を有することを特徴とする。
【００１１】
請求項３の発明は、請求項２に記載の放送信号受信装置において、前記制御手段は、前記受信手段によって受信できなかったチャンネルについて、その理由を表示する機能を有することを特徴とする。
【発明の効果】
【００１２】
請求項１の発明によれば、チャンネル情報抽出手段によってチャンネル情報が抽出されなかったチャンネルについては、記憶手段に記憶されているチャンネル情報を更新しないので、一時的な電波環境の悪化等の事情により受信手段が受信できなかったチャンネルが記憶手段から削除されることがない。従って、前回の自動選局において記憶手段に記憶されているチャンネル情報がその後の受信手段による選局に継続して用いられる。これにより、チャンネル情報を取得できなかったチャンネルについて、従来は必要とされていたチャンネル情報を取得するための手動選局の操作が不要となり、放送信号受信装置の使い勝手が向上する。
【００１３】
請求項２の発明によれば、記憶手段に記憶されているチャンネル情報を一覧表示されるので、ユーザは、選局にあたって有益な情報を得ることができる。
【００１４】
請求項３の発明によれば、受信手段によって受信できなかったチャンネルについて、その理由が表示されるので、ユーザは表示された理由に応じて、対応措置を採ることができる。
【図面の簡単な説明】
【００１５】
【図１】本発明の一実施形態による放送信号受信装置の構成を示すブロック図。
【図２】同放送信号受信装置において、３回の自動選局時にメモリに記憶されるチャンネルの一覧を示す図。
【図３】同放送信号受信装置において、自動選局時に取得し、モニタ装置等に表示させるチャンネル情報の一覧を示す図。
【図４】従来の放送信号受信装置において、３回の自動選局時にメモリに記憶されるチャンネルの一覧を示す図。
【図５】従来の放送信号受信装置において、手動選局によってチャンネル情報を取得するチャンネルを示す図。
【発明を実施するための形態】
【００１６】
本発明の一実施形態による放送信号受信装置について図面を参照して説明する。図１は放送信号受信装置の構成を示している。放送信号受信装置１は、チューナ（受信手段）２と、復調部３と、デコーダ５と、信号出力部６と、リモートコントローラ（指令入力手段）７と、受光部８と、制御部（制御手段）９と、チャンネル情報抽出部（チャンネル情報抽出手段）１０と、メモリ（記憶手段）１１等によって構成されている。
【００１７】
チューナ２は、放送局から送信された放送信号を受信する。放送信号には、映像信号、音声信号の他、定期的に挿入されたチャンネル情報に関する信号が含まれる。復調部３は、チューナ２によって受信された放送信号を復調する。デコーダ５は、復調部３によって復調された信号を復号する。信号出力部６は、映像出力部６１及び音声出力部６２を有し、外部のモニタ装置及びスピーカ等と接続される。映像出力部６１は、デコーダ５によって復号された映像信号をモニタ装置等の映像表示装置が処理可能な信号に変換して出力する。音声出力部６２は、デコーダ５によって復号された音声信号をスピーカ等の音声出力装置が処理可能な信号に変換して出力する。
【００１８】
リモートコントローラ７は、放送信号受信装置１に指令を遠隔的に入力するために、ユーザによって操作され、その操作に応じた赤外線信号を出力する。受光部８は、リモートコントローラ７から出力された赤外線信号を受光して、それに応じた電気信号を制御部９に転送する。制御部９は、上記各部の制御を司る。例えば、制御部９は、受光部８から転送された電気信号に応じて、チューナ２、復調部３、デコーダ５、信号出力部６等を制御して、放送信号に含まれる映像信号及び音声信号を出力させる。
【００１９】
チャンネル情報抽出部１０は、チューナ２によって受信された放送信号に含まれるチャンネル情報を抽出する。メモリ（記憶手段）１１は、チャンネル情報抽出部１０によって抽出されたチャンネル情報を受信可能なチャンネルのリストとして記憶する。
【００２０】
本実施形態の放送信号受信装置１は、リモートコントローラ７を介して入力された自動選局指令に応じて、チューナ２の受信周波数を走査させながら放送局から送信される放送波を自動的にサーチして、受信可能なチャンネルのリストを作成しメモリ１１に記憶する機能を有している。メモリ１１に記憶された受信可能なチャンネルのリストは、選局の際に利用される。例えば、リモートコントローラ７に設けられているアップ／ダウンキーが操作されると、制御部９は、メモリ１１に記憶された受信可能なチャンネルのリストに基づいて、チューナ２に対して受信周波数を変更する旨の制御信号を出力する。
【００２１】
図２は、放送信号受信装置１において、３回の自動選局に伴ってメモリ１１に記憶されるチャンネルの一覧を示している。各チャンネルの受信の可否は、図４に示した例と同様である。制御部９は、１回目の自動選局においてチューナ２の受信周波数を走査させながらチューナ２に放送信号をサーチさせ、その放送信号に含まれるチャンネル情報をチャンネル情報抽出部１０に抽出させ、メモリ１１に記憶させる。その後、リモートコントローラ７を介して２回目の自動選局指令が入力されると、受信した放送信号に含まれるチャンネル情報をチャンネル情報抽出部１０に抽出させ、メモリ１１に記憶されているチャンネル情報と比較して、チャンネル情報を更新する。このとき、２回目の自動選局において、弱信号等が原因で放送信号を受信できなかったＣＨ２６、ＣＨ３３及びＣＨ４０については、１回目の自動選局において取得しメモリ１１に記憶させたチャンネル情報のデータを保護する。すなわち、メモリ１１に記憶させたチャンネル情報のデータを消去することなく、メモリ１１に残す。同様に３回目の自動選局において、放送信号を受信できなかったＣＨ９及びＣＨ６６については、２回目の自動選局において取得しメモリ１１に記憶させたチャンネル情報のデータを保護する。さらに、２回目及び３回目の自動選局において、放送信号を受信できなかったＣＨ４０については、１回目の自動選局において取得しメモリ１１に記憶させたチャンネル情報のデータを保護する。すなわち、チャンネル情報が抽出されなかったチャンネルについては、メモリ１１に記憶されているチャンネル情報を、更新することなくチューナ２による選局に継続して用いる。
【００２２】
メモリ１１に記憶させたチャンネル情報の経歴は、通常はユーザに提示することはないが、リモートコントローラ７の操作に応じて、ユーザが理解しやすい内容で映像出力部６１に接続されているモニタ装置等に一覧表示してもよい。
【００２３】
図３は、自動選局時に取得し、モニタ装置等に表示させるチャンネル情報の一覧を示している。一覧の内容としては、例えば、仮想ＣＨ、サブＣＨ、物理ＣＨ、受信レベル、局情報、受信エラーの理由（弱信号、スクランブル等）等の選局時の受信状態を容易に理解できる内容とする。また、前回の自動選局の結果と相違するデータは、色分けや点滅等によって区別してもよいし、受信エラーの理由に応じて表示の形態を区別してもよい。
【００２４】
また、手動選局モードを使わないで、一覧を表示させるモードで要望する未受信の（選局は出来たが表示出来ない場合もあるので）チャンネルの経歴を見るか、又は見ないでデータ一覧からチャンネルを選んでチャンネルを受信できるように、簡単に変更できるようにしてもよい。一方ではその逆処理として、一覧モードで未受信か受信のチャンネルを選んでそのチャンネルを完全消去する変更ができるようにしてもよい。これらの一連の設定は、変更した時点で有効にする。また、マニュアル選局の場合も一覧表はチャンネル表示のみでなく、局情報等の簡単な一覧、対比を設けて作業をし易くする。
【００２５】
以上のように、本実施形態の放送信号受信装置１によれば、チャンネル情報抽出部１０によってチャンネル情報が抽出されなかったチャンネルについては、メモリ１１に記憶されているチャンネル情報を更新しないので、一時的な電波環境の悪化等の事情によりチューナ２が受信できなかったチャンネルがメモリ１１から削除されることがない。従って、前回の自動選局においてメモリ１１に記憶されているチャンネル情報がその後のチューナ２による選局に継続して用いられる。これにより、チャンネル情報を取得できなかったチャンネルについて、従来は必要とされていたチャンネル情報を取得するための手動選局の操作が不要となり、放送信号受信装置の使い勝手が向上する。
【００２６】
また、メモリ１１に記憶されているチャンネル情報が一覧表示されるので、ユーザは、選局にあたって有益な情報を得ることができる。また、チューナ２によって受信できなかったチャンネルについては、その理由が表示されるので、ユーザは表示された理由に応じて、対応措置を採ることができる。
【００２７】
なお、本発明は上記実施形態の構成に限られることなく、少なくとも自動選局において、弱信号等が原因で放送信号を受信できなかったチャンネルについては、前回の自動選局において取得しメモリ１１に記憶させたチャンネル情報のデータを更新することなく保護し、その後のチューナ２による選局に継続して用いるように構成されていればよい。また、本発明は種々の変形が可能であり、例えば、本放送信号受信装置１の構成を、ＬＣＤ等のモニタ装置を備えたテレビジョン受像機やハードディスク等の記録媒体を備えた放送記録装置に適用してもよい。
【符号の説明】
【００２８】
１    放送信号受信装置
２    チューナ（受信手段）
７    リモートコントローラ（指令入力手段）
９    制御部（制御手段）
１０    チャンネル情報抽出部（チャンネル情報抽出手段）
１１    メモリ（記憶手段）
【図１】
2010288221.tif 000003
【図４】
2010288221.tif 000004
【図５】
2010288221.tif 000005
【図２】
2010288221.tif 000006
【図３】
2010288221.tif 000007